(57)【要約】【課題】各種引掛け対象物に対し容易に引掛けたり、取外すことができると共に、ケーブルを敷設する際、ガイドローラーがスムーズに回転してケーブル用金車が暴れたりグラつかずにケーブルを送って、作業性を向上させることができるケーブル用金車を提供する。【解決手段】ケーブル用金車１は、丸鋼を利用した直線状の金車本体部１１と、金車本体部１１の上端から複数股状に分かれて複数の引掛け部である第１引掛け部１２ａ及び第２引掛け部１２ｂを形成し、第１引掛け部１２ａ及び第２引掛け部１２ｂが引掛け対象物に掛止可能な複数股状引掛け部１２と、金車本体部１１の下端から折れ曲がり、ケーブルが載置される第１ガイドローラー１４ａおよび第２ガイドローラー１４ｂがそれぞれ設けられる第１ガイドローラー支持部１３ａおよび第２ガイドローラー支持部１３ｂを有する。【選択図】図１
0003214207.tif 000002
【実用新案登録請求の範囲】
【請求項１】
引掛け対象物に引掛けてケーブルを敷設するケーブル用金車であって、
金車本体部と、
前記金車本体部の上端から複数股状に分かれて複数の引掛け部を形成し、各引掛け部が前記引掛け対象物に掛止可能な複数股状引掛け部と、
前記金車本体部の下端から折れ曲がってガイドローラー支持部を形成し、そのガイドローラー支持部にケーブルが載置されるガイドローラーが回転可能に設けられるケーブル支持部と、
を有することを特徴とするケーブル用金車。
【請求項２】
請求項１に記載のケーブル用金車において、
前記複数股状引掛け部は、複数の引掛け部として第１引掛け部および第２引掛け部を有し、その第１引掛け部および第２引掛け部は、平面視、ほぼ９０度の角度をなすように前記金車本体部の上端に設けられ、
前記第１引掛け部および第２引掛け部の内、いずれか一方の引掛け部は、前記ケーブル支持部のガイドローラー支持部および前記ガイドローラーと同じ平面上に設けられる一方、他方の引掛け部は、前記一方の引掛け部、前記ケーブル支持部のガイドローラー支持部および前記ガイドローラーが設けられる平面とは直交する平面に設けられることを特徴とするケーブル用金車。
【請求項３】
請求項１または請求項２に記載のケーブル用金車において、
１本の丸棒を折り曲げることによって前記複数股状引掛け部の内、一の引掛け部と、前記金車本体部と、前記ケーブル支持部とが一体に形成され、前記複数股状引掛け部の内、残りの引掛け部が前記金車本体部の上端に溶接等により接合して設けられていることを特徴とするケーブル用金車。
【請求項４】
請求項１〜請求項３のいずれか一の請求項に記載のケーブル用金車において、
前記ケーブル支持部は、
前記金車本体部に対しほぼ１３０度折り曲げられた第１ガイドローラー支持部と、その第１ガイドローラー支持部に対し約１００度のＶ字形状に折り曲げられた第２ガイドローラー受け部と、第２ガイドローラー受け部に対し約１３０度曲げられ上方に向かって延びるケーブル脱落防止先端部とを有し、
前記第１ガイドローラー支持部と前記第２ガイドローラー受け部には、それぞれ、第１ガイドローラーと第２ガイドローラーとが約１００度の角度をなすように設けられていることを特徴とするケーブル用金車。
【考案の詳細な説明】
【技術分野】
【０００１】
本考案は、既設ケーブルやフェンス、腕金（支持金具）、引き留め金具、ＬＣＸケーブル取付金具等の各種引掛け対象物に引掛けてケーブルを敷設するケーブル用金車に関する。
【背景技術】
【０００２】
既設ケーブルやフェンス、腕金等の引掛け対象物に引掛けてケーブルを敷設する際に使用するケーブル用金車として、腕金に掛止するもの（例えば、特許文献１参照。）や、メッセンジャーワイヤー等の既設ケーブルに引掛けて使用するもの等が提案されている（例えば、特許文献２参照。）。
【先行技術文献】
【特許文献】
【０００３】
【特許文献１】特開２０００―１３４７４１号公報
【特許文献２】実用新案登録第３００９４４６号公報
【考案の概要】
【考案が解決しようとする課題】
【０００４】
しかし、上述の特許文献１に記載のケーブル用金車は、ボルトやネジを締めて腕金やメッセンジャーワイヤーに固定するため、ボルトやネジを差し込んだりナットを回転させる作業が必要であり作業に手間がかかると共に、取外す際にはナットを緩める必要があり、作業性が悪いという問題がある。
【０００５】
また、上述の特許文献２に記載のケーブル用金車は、右部アームの上端に不使用時に金車全体を引っ掛けて吊下げるためのフックが設けられているものの、そのフックはガイドローラーの軸線方向と平行に延びるため、引掛け対象物によってはガイドローラーの回転軸がケーブルの送り方向と直交せず、ケーブルを敷設する際に、ガイドローラーがスムーズに回転せず、ケーブル用金車が暴れて落下したりグラついて、ケーブルをスムーズに送り出すことが出来ず、作業性が悪い、という問題もある。
【０００６】
そこで、本考案はこのような問題点に着目してなされたもので、各種引掛け対象物に対し容易に引掛けたり、取外すことができると共に、ケーブルを敷設する際、ガイドローラーがスムーズに回転してケーブル用金車が暴れたりグラつかずにケーブルを送って、作業性を向上させることができるケーブル用金車を提供することを目的とする。
【課題を解決するための手段】
【０００７】
前記課題を解決するため、本考案に係るケーブル用金車の第１の特徴は、引掛け対象物に引掛けてケーブルを敷設するケーブル用金車であって、金車本体部と、前記金車本体部の上端から複数股状に分かれて複数の引掛け部を形成し、各引掛け部が前記引掛け対象物に掛止可能な複数股状引掛け部と、前記金車本体部の下端から折れ曲がってガイドローラー支持部を形成し、そのガイドローラー支持部にケーブルが載置されるガイドローラーが回転可能に設けられるケーブル支持部とを有することである。
また、本考案に係るケーブル用金車の第２の特徴は、前記複数股状引掛け部は、複数の引掛け部として第１引掛け部および第２引掛け部を有し、その第１引掛け部および第２引掛け部は、平面視、ほぼ９０度の角度をなすように前記金車本体部の上端に設けられ、前記第１引掛け部および第２引掛け部の内、いずれか一方の引掛け部は、前記ケーブル支持部のガイドローラー支持部および前記ガイドローラーと同じ平面上に設けられる一方、他方の引掛け部は、前記一方の引掛け部、前記ケーブル支持部のガイドローラー支持部および前記ガイドローラーが設けられる平面とは直交する平面に設けられることである。
また、本考案に係るケーブル用金車の第３の特徴は、１本の丸棒を折り曲げることによって前記複数股状引掛け部の内、一の引掛け部と、前記金車本体部と、前記ケーブル支持部とが一体に形成され、前記複数股状引掛け部の内、残りの引掛け部が前記金車本体部の上端に溶接等により接合して設けられていることである。
また、本考案に係るケーブル用金車の第４の特徴は、前記ケーブル支持部は、前記金車本体部に対しほぼ１３０度折り曲げられた第１ガイドローラー支持部と、その第１ガイドローラー支持部に対し約１００度のＶ字形状に折り曲げられた第２ガイドローラー受け部と、第２ガイドローラー受け部に対し約１３０度曲げられ上方に向かって延びるケーブル脱落防止先端部とを有し、前記第１ガイドローラー支持部と前記第２ガイドローラー受け部には、それぞれ、第１ガイドローラーと第２ガイドローラーとが約１００度の角度をなすように設けられていることである。
【考案の効果】
【０００８】
本考案に係るケーブル用金車では、金車本体部の上端から複数股状に分かれて複数の引掛け部を形成し、各引掛け部が引掛け対象物に掛止可能な複数股状引掛け部を有するため、複数の引掛け部の内、いずれかの引掛け部を既設ケーブルやフェンス、腕金等の各種引掛け対象物に対し掛止することができる。
そのため、本考案に係るケーブル用金車によれば、各種引掛け対象物に対し容易に引掛けたり、取外すことができると共に、ケーブルを敷設する際、ガイドローラーがスムーズに回転してケーブル用金車が暴れたりグラつかずにケーブルを送って、作業性を向上させることができる。
【図面の簡単な説明】
【０００９】
【図１】本考案に係る実施形態のケーブル用金車の斜視図である。
【図２】本考案に係る実施形態のケーブル用金車の正面図である。
【図３】（ａ），（ｂ）それぞれ本考案に係る実施形態のケーブル用金車の平面図、側面図である。
【図４】（ａ），（ｂ）それぞれ本考案に係る実施形態のケーブル用金車を構成する第１ガイドローラーおよび第２ガイドローラーの正面図、側面図である。
【図５】本考案に係る実施形態のケーブル用金車を、例えば、既設の旧ケーブルを引っ掛け、新規ケーブルを敷設した状態を示す図である。
【図６】本考案に係る実施形態のケーブル用金車を、例えば、フェンスに引っ掛け、新規ケーブルを敷設した状態を示す図である。
【図７】本考案に係る実施形態のケーブル用金車を、例えば、引き留め金具に引っ掛け、新規ケーブルを敷設した状態を示す図である。
【図８】本考案に係る実施形態のケーブル用金車を、例えば、腕金に引っ掛け、新規ケーブルを敷設した状態を示す図である。
【図９】本考案に係る実施形態のケーブル用金車を、例えば、ＬＣＸケーブル取付金具に引っ掛け、新規ケーブルを敷設した状態を示す図である。
【考案を実施するための形態】
【００１０】
以下、本考案に係るケーブル用金車の実施の形態を、添付図面を参照しながら詳細に説明する。なお、下記に説明する実施形態はあくまで本考案の一例であり、本考案は下記の実施形態に限定されるものではなく、本考案の技術思想の範囲内で適宜変更可能である。
【００１１】
＜実施形態のケーブル用金車１の構成＞
本考案に係る実施形態のケーブル用金車１は、漏洩同軸ケーブルまたはリーケージ・コアキシャル・ケーブル（以下、ＬＣＸケーブルと略す。）等のケーブルを敷設する際に使用する金車であって、図１〜図４に示すように、例えば直径９ｍｍ程度の丸鋼を折り曲げたり溶接等により接合して金車本体部１１と、２つの引掛け部である第１引掛け部１２ａおよび第２引掛け部１２ｂを有する複数股状引掛け部１２と、ケーブル支持部１３とを形成すると共に、ケーブル支持部１３に２個の第１ガイドローラー１４ａおよび第２ガイドローラー１４ｂを回転可能に設けて構成されている。
【００１２】
特に、実施形態のケーブル用金車１では、１本の丸棒によって直線状の金車本体部１１と、金車本体部１１上端を曲げることによって複数股状引掛け部１２を構成する第１引掛け部１２ａおよび第２引掛け部１２ｂの内、一方の引掛け部である第１引掛け部１２ａを形成する一方、金車本体部１１下端を折り曲げることによってケーブル支持部１３を設け、そのケーブル支持部１３に２個の第１ガイドローラー１４ａおよび第２ガイドローラー１４ｂを回転可能に設けると共に、金車本体部１１の上端に複数股状引掛け部１２を構成する第１引掛け部１２ａおよび第２引掛け部１２ｂの内、他方の引掛け部である第２引掛け部１２ｂを溶接等により接合して構成される。
【００１３】
（金車本体部１１）
金車本体部１１は、上述したようにほぼ直径９ｍｍ程度の丸鋼により構成されており、その外側面中央には、図１や図２、図３（ｂ）等に示すように、光を反射する反射シール１１ａが巻付けられている。尚、反射シール１１ａは省略しても良い。
【００１４】
（複数股状引掛け部１２）
複数股状引掛け部１２は、上述するように金車本体部１１上端に第１引掛け部１２ａおよび第２引掛け部１２ｂを設けて構成されており、図３（ａ）に示すように、その第１引掛け部１２ａおよび第２引掛け部１２ｂは、平面視、ほぼ９０度の角度をなすように金車本体部１１の上端に設けられている。本実施形態の場合、第１引掛け部１２ａは、金車本体部１１上端を折り曲げて金車本体部１１と一体で構成されているので、第２引掛け部１２ｂが金車本体部１１上端に溶接などで接合されている。
【００１５】
平面視、ほぼ９０度の角度をなす第１引掛け部１２ａおよび第２引掛け部１２ｂは、それぞれ、図１〜図３に示すように、Ｌ字を時計方向に９０度回転させた回転Ｌ字形状で構成されており、後述する既設ケーブル３の外径や腕金（支持金具）２ｅの幅等の引掛け対象物の引掛け部分の大きさ等を考慮して長さＬ１（約７５ｍｍ）の水平部と、長さＬ２（約８５ｍｍ）の垂直部とを有して構成される。
【００１６】
そのため、後述するように引掛け対象物がコンクリート等の壁２ａとほぼ平行な既設ケーブル３やフェンス２ｃ等であって、その引掛け対象物に対し垂直方向に引掛けて壁２ａに対し平行に新規ケーブル４を設置する場合は、第１ガイドローラー１４ａや第２ガイドローラー１４ｂ等と同じ平面上に設けられた第１引掛け部１２ａを使用する一方、壁２ａ等から垂直方向に延びる腕金（支持金具）２ｅ等の引掛け対象物に対し引掛けて壁２ａに対し平行に新規ケーブル４を設置する場合は、第１ガイドローラー１４ａや第２ガイドローラー１４ｂ等が設けられた平面とは直交する平面に設けられた第２引掛け部１２ｂを使用することにより、新規ケーブル４を設置する際、新規ケーブル４に対し第１ガイドローラー１４ａおよび第２ガイドローラー１４ｂが垂直方向を向くので、第１ガイドローラー１４ａおよび第２ガイドローラー１４ｂが回転し易くなり、新規ケーブル４の設置作業の作業性が向上する。
【００１７】
（ケーブル支持部１３）
ケーブル支持部１３は、図１や図２等に示すように、金車本体部１１の下端から金車本体部１１に対しほぼ１３０度の角度をなすように折り曲げられた第１ガイドローラー支持部１３ａと、その第１ガイドローラー支持部１３ａに対しほぼ１００度の角度をなすように折り曲げられた第２ガイドローラー受け部１３ｂと、第２ガイドローラー受け部１３ｂに対しほぼ１３０度の角度をなすように折り曲げられ上方に向かって延びる、すなわち金車本体部１１とほぼ平行に延びるケーブル脱落防止先端部１３ｃとを有し、第１ガイドローラー支持部１３ａには第１ガイドローラー１４ａが回転可能に支持される一方、第２ガイドローラー受け部１３ｂには、第２ガイドローラー１４ｂが回転可能に設けられる。
【００１８】
ここで、ケーブル脱落防止先端部１３ｃの長さＬ３は、例えば、第１引掛け部１２ａおよび第２引掛け部１２ｂの垂直部の長さＬ２と同じ約８５ｍｍとする。また、ケーブル脱落防止先端部１３ｃと金車本体部１１との間の間隔Ｌ４は、第１引掛け部１２ａおよび第２引掛け部１２ｂの水平部の長さＬ１（約７５ｍｍ）よりも大きい約１２４ｍｍ程度とする。
【００１９】
（第１ガイドローラー１４ａおよび第２ガイドローラー１４ｂ）
第１ガイドローラー１４ａおよび第２ガイドローラー１４ｂは、同一のもので、図４（ａ），（ｂ）等に示すように、それぞれ、第１ガイドローラー支持部１３ａ、第２ガイドローラー受け部１３ｂに通されて回転できるように円筒状に形成されている。
【００２０】
ここで、第１ガイドローラー１４ａおよび第２ガイドローラー１４ｂの長さ（幅）Ｌ５は、約７０ｍｍ程度とし、また外径Ｒは約２２ｍｍ程度とする。
【００２１】
また、第１ガイドローラー１４ａおよび第２ガイドローラー１４ｂは、それぞれ、新規ケーブル４を敷設する際、その円筒状両端部の角部で新規ケーブル４を傷付けないように、円筒状の両端部の角部が研磨等して傾斜面ないしは湾曲面（Ｒ面）になるように構成されている。
【００２２】
＜実施形態のケーブル用金車１の使用例＞
次に、以上のように構成された実施形態のケーブル用金車１の使用例について、各種引掛け対象物を一例にしながら説明する。
【００２３】
（１）実施形態のケーブル用金車１を既設ケーブル３に引っ掛けて新規ケーブル４を敷設する場合（図５の場合）
【００２４】
例えば、図５に示すように壁２ａに設けられたケーブル支持金具２ｂに固定された既設ケーブル３に実施形態のケーブル用金車１を引っ掛けて新規ケーブル４を敷設する場合、第１ガイドローラー１４ａや第２ガイドローラー１４ｂ等と同じ平面上に設けられた第１引掛け部１２ａを既設ケーブル３に引っ掛け、第１ガイドローラー１４ａおよび第２ガイドローラー１４ｂの上で新規ケーブル４を敷設する。
【００２５】
すると、第１ガイドローラー１４ａおよび第２ガイドローラー１４ｂは、新規ケーブル４の長手方向、すなわち新規ケーブル４の送り方向に対し直交する方向で回転するので、新規ケーブル４を敷設する際、効率良く回転して、ケーブル用金車１が暴れたりグラつかず、新規ケーブル４をスムーズに送り出し、新規ケーブル４を敷設する際の作業性を向上させることができる。
【００２６】
また、新規ケーブル４敷設時に、既設ケーブル３に引っ掛けられていない第２引掛け部１２ｂは、図５等に示すように、第１引掛け部１２ａに対し垂直方向に延びているので、既設ケーブル３表面に当接する。
【００２７】
そのため、第２引掛け部１２ｂが既設ケーブル３表面に当接することによって、新規ケーブル４敷設時にケーブル用金車１が暴れたりグラつくことを防止するので、この点でも新規ケーブル４を敷設する際の作業性を向上させることができる。
【００２８】
（２）実施形態のケーブル用金車１をフェンス２ｃに引っ掛けて新規ケーブル４を敷設する場合（図６の場合）
【００２９】
図６に示すようにフェンス２ｃの手摺部分２ｃ１に実施形態のケーブル用金車１を引っ掛けて新規ケーブル４を敷設する場合は、図５に示す既設ケーブル３に引っ掛ける場合と同様に、第１ガイドローラー１４ａや第２ガイドローラー１４ｂ等と同じ平面上に設けられた第１引掛け部１２ａをフェンス２ｃの手摺部分２ｃ１に引っ掛け、第１ガイドローラー１４ａおよび第２ガイドローラー１４ｂの上で新規ケーブル４を敷設する。
【００３０】
すると、第１ガイドローラー１４ａおよび第２ガイドローラー１４ｂは、新規ケーブル４の長手方向、すなわち新規ケーブル４の送り方向に対し直交する方向で回転するので、新規ケーブル４を敷設する際、効率良く回転して、ケーブル用金車１が暴れたりグラつかず、新規ケーブル４をスムーズに送り出し、新規ケーブル４を敷設する際の作業性を向上させることができる。
【００３１】
また、新規ケーブル４敷設時に、フェンス２ｃの手摺部分２ｃ１に引っ掛けられていない第２引掛け部１２ｂがフェンス２ｃの手摺部分２ｃ１等に当接してケーブル用金車１が暴れたりグラつくことも防止するので、この点でも新規ケーブル４を敷設する際の作業性を向上させることができる。
【００３２】
（３）実施形態のケーブル用金車１を引き留め金具２ｄに引っ掛けて新規ケーブル４を敷設する場合（図７の場合）
【００３３】
図７に示すように実施形態のケーブル用金車１を壁２ａ等に固定された引き留め金具２ｄのＵ字ボルト２ｄ１に引っ掛けて新規ケーブル４を敷設する場合は、図５に示す既設ケーブル３に引っ掛ける場合や、図６に示すようにフェンス２ｃの手摺部分２ｃ１に引っ掛ける場合と同様に、第１ガイドローラー１４ａや第２ガイドローラー１４ｂ等と同じ平面上に設けられた第１引掛け部１２ａを引っ掛け、第１ガイドローラー１４ａおよび第２ガイドローラー１４ｂの上で新規ケーブル４を敷設する。
【００３４】
すると、第１ガイドローラー１４ａおよび第２ガイドローラー１４ｂは、新規ケーブル４の長手方向、すなわち新規ケーブル４の送り方向に対し直交する方向で回転するので、新規ケーブル４を敷設する際、効率良く回転して、ケーブル用金車１が暴れたりグラつかず、新規ケーブル４をスムーズに送り出し、新規ケーブル４を敷設する際の作業性を向上させることができる。
【００３５】
（４）実施形態のケーブル用金車１を腕金（支持金具）２ｅに引っ掛けて新規ケーブル４を敷設する場合（図８の場合）
【００３６】
図８に示すように実施形態のケーブル用金車１を壁２ａに対し垂直に固定された腕金（支持金具）２ｅに引っ掛けて新規ケーブル４を敷設する場合は、上述した図５〜図７に示す場合とは異なり、第１ガイドローラー１４ａおよび第２ガイドローラー１４ｂに対し垂直方向に延びる、すなわち第１ガイドローラー１４ａおよび第２ガイドローラー１４ｂ等が設けられた平面とは直交する平面上に設けられた第２引掛け部１２ｂを引っ掛け、第１ガイドローラー１４ａおよび第２ガイドローラー１４ｂの上で新規ケーブル４を敷設する。
【００３７】
すると、第１ガイドローラー１４ａおよび第２ガイドローラー１４ｂは、新規ケーブル４の長手方向、すなわち新規ケーブル４の送り方向に対し直交する方向で回転するので、新規ケーブル４を敷設する際、効率良く回転して、ケーブル用金車１が暴れたりグラつかず、新規ケーブル４をスムーズに送り出し、新規ケーブル４を敷設する際の作業性を向上させることができる。
【００３８】
また、腕金（支持金具）２ｅに引っ掛けられていない第１引掛け部１２ａは、図８に示すように、腕金（支持金具）２ｅの側面に当接して新規ケーブル４敷設時にケーブル用金車１が暴れたりグラつくことを防止するので、この点でも新規ケーブル４を敷設する際の作業性を向上させることができる。
【００３９】
（５）実施形態のケーブル用金車１をＬＣＸケーブル取付金具２ｆに引っ掛けて新規ケーブル４を敷設する場合（図９の場合）
【００４０】
図９に示すように実施形態のケーブル用金車１を壁２ａに固定されたＬＣＸケーブル取付金具２ｆに引っ掛けて新規ケーブル４を敷設する場合は、上述した図８に示す腕金（支持金具）２ｅに引掛ける場合と同様に、第１ガイドローラー１４ａおよび第２ガイドローラー１４ｂに対し垂直な第２引掛け部１２ｂを引っ掛け、第１ガイドローラー１４ａおよび第２ガイドローラー１４ｂの上で新規ケーブル４を敷設する。
【００４１】
すると、第１ガイドローラー１４ａおよび第２ガイドローラー１４ｂは、新規ケーブル４の長手方向、すなわち新規ケーブル４の送り方向に対し直交する方向で回転するので、新規ケーブル４を敷設する際、効率良く回転して、ケーブル用金車１が暴れたりグラつかず、新規ケーブル４をスムーズに送り出し、新規ケーブル４を敷設する際の作業性を向上させることができる。
【００４２】
また、ＬＣＸケーブル取付金具２ｆに引っ掛けられていない第１引掛け部１２ａは、図９に示すようにＬＣＸケーブル取付金具２ｆの側面に当接したり、ＬＣＸケーブル取付金具２ｆが取り付けられた壁面２ａに当接して、新規ケーブル４敷設時にケーブル用金車１が暴れたりグラつくことを防止するので、この点でも新規ケーブル４を敷設する際の作業性を向上させることができる。
【００４３】
＜本考案に係る実施形態のケーブル用金車１の効果等＞
以上説明したように、本考案に係る実施形態のケーブル用金車１は、丸鋼からなる金車本体部１１と、金車本体部１１上端から複数股状に分かれ、それぞれの先端部が下方に向かって折れ曲がり、平面視、所定の角度をなす回転Ｌ字形状の第１引掛け部１２ａ及び第２引掛け部１２ｂを有する複数股状引掛け部１２と、金車本体部１１下端から下方に延び、先端部が上方に向かって折れ曲がり第１ガイドローラー支持部１３ａおよび第２ガイドローラー受け部１３ｂを形成し、その第１ガイドローラー支持部１３ａおよび第２ガイドローラー受け部１３ｂにそれぞれラー受け部１３ａおよび第２ガイドローラー受け部１３ｂが設けられたケーブル支持部１３とを有する。
【００４４】
そのため、本考案に係る実施形態のケーブル用金車１では、引掛け対象物がコンクリート等の壁２ａとほぼ平行な既設ケーブル３やフェンス２ｃ等であって、その引掛け対象物に対し垂直方向に引掛けて壁２ａに対し平行に新規ケーブル４を設置する場合は、第１引掛け部１２ａを引掛け対象物に引掛ける一方、壁２ａ等から垂直方向に延びる腕金（支持金具）２ｅ等の引掛け対象物に対し引掛けて壁２ａに対し平行に新規ケーブル４を設置する場合は、第２引掛け部１２ｂを引掛け対象物に引掛けることができるので、引掛け対象物に拠らず常に第１ガイドローラー１４ａおよび第２ガイドローラー１４ｂは、新規ケーブル４の長手方向、すなわち新規ケーブル４の送り方向に対し直交する方向でスムーズに回転させることができる。
【００４５】
その結果、本考案に係る実施形態のケーブル用金車１によれば、新規ケーブル４を敷設する際、新規ケーブル４の送り方向に対し第１ガイドローラー１４ａおよび第２ガイドローラー１４ｂがスムーズに回転するので、ケーブル用金車１自体の暴れやバタつきも少なくなり、新規ケーブル４の設置作業の作業性を向上させることができる。
【００４６】
また、本考案に係る実施形態のケーブル用金車１では、複数股状引掛け部１２を構成する第１引掛け部１２ａおよび第２引掛け部１２ｂは、それぞれ、Ｌ字を時計方向に９０度回転させた回転Ｌ字形状で構成されており、既設ケーブル３の外径や腕金（支持金具）２ｅの幅等の引掛け対象物の引掛け部分の大きさ等を考慮して長さＬ１（約７５ｍｍ）の水平部と、長さＬ２（約８５ｍｍ）の垂直部とを有して構成されているため、各種の引掛け対象物に対し確実かつ簡単に引掛けたり、容易に取り外すことが可能となるので、このケーブル用金車１を使用して新規ケーブル４を敷設する際のケーブル用金車１の設置作業時間や撤去作業時間（後片付け作業時間）も短縮化することができると共に、少人数で新規ケーブル４を敷設することができる。
【００４７】
その結果、本考案に係る実施形態のケーブル用金車１を使用して新規ケーブル４を敷設することによって、準備、片付け作業を含め大幅な作業時間を短縮して、工期を短縮化し、工事経費である外注費や労務費を削減することができる。
【００４８】
また、本考案に係る実施形態のケーブル用金車１では、１本の丸棒によって直線状の金車本体部１１と、金車本体部１１上端を曲げることによって第１引掛け部１２ａを形成する一方、金車本体部１１下端を折り曲げることによってケーブル支持部１３を設け、そのケーブル支持部１３に２個の第１ガイドローラー１４ａおよび第２ガイドローラー１４ｂを回転可能に設けると共に、金車本体部１１の上端に第２引掛け部１２ｂを溶接等により接合して構成したため、ケーブル用金車１をシンプルな構造で製造することができる。
【００４９】
その結果、本考案に係る実施形態のケーブル用金車１によれば、ケーブル用金車１自体の製造コストを低減することができると共に、ケーブル用金車１自体が軽量化されるので、ケーブル用金車１の設置作業や撤去作業（後片付け作業）、運搬作業を容易化できると共に、ケーブル用金車１の設置作業時間や撤去作業時間（後片付け作業時間）も短縮化することもできる。
【００５０】
また、本考案に係る実施形態のケーブル用金車１が、上述のようなシンプルな構造であるため、金属疲労以外で壊れることはなくなり、ケーブル用金車１の耐久性や信頼性を向上させることができると共に、多数のケーブル用金車１を保管する際、従来のケーブル用金車よりも保管スペースを大幅に削減して保管することができる。
【００５１】
また、本考案に係る実施形態のケーブル用金車１では、第１ガイドローラーと第２ガイドローラーとが１００度のＶ字形状で設けられているため、新規ケーブル４が第１ガイドローラー１４ａおよび第２ガイドローラー１４ｂが設けられていない金車本体部１１やケーブル脱落防止先端部１３ｃ等と擦れることを極力減少させることが可能となり、新規ケーブル４の表面を傷付けることなくスムーズに送り出して敷設することができ、この点でも新規ケーブル４の設置作業の作業性を向上させることができる。
【００５２】
尚、上記実施形態のケーブル用金車１では、複数股状引掛け部１２は、第１引掛け部１２ａ及び第２引掛け部１２ｂの２つの引掛け部を設けて説明したが、本考案ではこれに限らず、３つ目の第３引掛け部を設けても良いし、さらに４つ目の第４引掛け部を設けるようにしても良い。ただし、この場合、各引掛け部は、隣接する他の引掛け部に対し平面視、なるべくほぼ９０度の角度をなすように設けると良いが、本考案では９０度に限定されるものではなく、４５度間隔や６０度間隔等で適宜の角度をなすように設けても良い。
【００５３】
また、上記実施形態のケーブル用金車１の説明では、各種引掛け対象物の一例として、新規ケーブル４（図５参照。）や、フェンス２ｃ（図６参照。）、引き留め金具２ｄ（図７参照。）、腕金（支持金具）２ｅ（図８参照。）、ＬＣＸケーブル取付金具２ｆ（図９参照。）を一例に説明したが、本考案ではこれらの引掛け対象物に限定されるものではなく、これら以外の引掛け対象物でも勿論良い。
【符号の説明】
【００５４】
１  ケーブル用金車
１１  金車本体部
１１ａ  反射シール
１２  複数股状引掛け部
１２ａ  第１引掛け部
１２ｂ  第２引掛け部
１３  ケーブル支持部
１３ａ  第１ガイドローラー支持部
１３ｂ  第２ガイドローラー支持部
１４ａ  第１ガイドローラー
１４ｂ  第２ガイドローラー
２ａ  壁
２ｂ  ケーブル支持金具
２ｃ  フェンス
２ｃ１  手摺部分
２ｄ  引き留め金具
２ｄ１  Ｕ字ボルト
２ｅ  腕金（支持金具）
３  既設ケーブル
４  新規ケーブル
【図１】
0003214207.tif 000003
【図２】
0003214207.tif 000004
【図３】
0003214207.tif 000005
【図４】
0003214207.tif 000006
【図５】
0003214207.tif 000007
【図６】
0003214207.tif 000008
【図７】
0003214207.tif 000009
【図８】
0003214207.tif 000010
【図９】
0003214207.tif 000011